(57)【要約】【課題】簡易な構成で各訪問者のための動画像を提供することができる動画撮影システムを提供する。【解決手段】施設内を撮影する複数のカメラ１０…と、前記複数のカメラ１０…で撮影される動画データを撮影時刻とともに記録するキャプチャサーバ１２と、施設内の各所に設置された複数のゲートアンテナ２０…と、訪問者が搭乗するカート２４に取り付けられ、前記ゲートアンテナ２０…が発信する信号を受信し、受信した信号に基づいて、訪問者が携行する記録カード２６に対し、訪問者の位置とその時刻とを関連付けた移動履歴情報を記録する受信記録装置２２と、移動履歴情報に基づいて動画データを編集して編集動画データを作成するエディットサーバ５０とを備える。【選択図】  図１
2006303766.tif 000002
【特許請求の範囲】
【請求項１】
施設内を撮影する複数の動画撮影カメラと、
前記複数の動画撮影カメラで撮影される動画データを撮影時刻とともに記録する動画データ記録手段と、
被写体となる訪問者とともに移動する記録媒体に対し、前記訪問者の位置とその時刻とを関連付けた移動履歴情報を記録する移動履歴記録手段と、
前記移動履歴情報に基づいて前記動画データを編集して編集動画データを作成する動画データ編集手段と、
を備えたことを特徴とする動画撮影システム。
【請求項２】
前記移動履歴記録手段は、施設内の各所に設置された複数の発信器と、前記訪問者とともに移動し、前記発信器が発信する信号を受信し、受信した信号に基づいて前記記録媒体に前記移動履歴情報を記録する受信記録装置と、を備える請求項１に記載の動画撮影システム。
【請求項３】
前記受信記録装置は、訪問者が搭乗する移動体に取り付けられている請求項２に記載の動画撮影システム。
【請求項４】
前記発信器は、各発信器の識別情報を含む信号を発信する請求項２または３に記載の動画撮影システム。
【請求項５】
前記移動履歴記録手段は、施設内の各所に設置され、訪問者とともに移動する前記記録媒体に対して前記移動履歴情報を記録する書込装置を備える請求項１に記載の動画撮影システム。
【請求項６】
前記動画データ記録手段と前記移動履歴記録手段とは、互いに同期した時計機能を備えた請求項１〜５のいずれかに記載の動画撮影システム。
【請求項７】
前記記録媒体は、訪問者によって携行されるものである請求項１〜６のいずれかに記載の動画撮影システム。
【請求項８】
前記動画データ編集手段は、訪問者からの指示を受けて編集動画データの作成を開始する請求項１〜７のいずれかに記載の動画撮影システム。
【請求項９】
前記編集動画データを訪問者に提供するデータ提供手段を備えたことを特徴とする請求項１〜８のいずれかに記載の動画撮影システム。
【請求項１０】
複数の動画撮影カメラで撮影される動画データを撮影時刻情報とともに記録するステップと、
被写体となる訪問者とともに移動する記録媒体に対し、前記訪問者の位置とその時刻とを関連付けた移動履歴情報を記録するステップと、
前記移動履歴情報に基づいて前記動画データを編集して編集動画データを作成するステップと、
を含むことを特徴とする動画撮影方法。
【発明の詳細な説明】
【技術分野】
【０００１】
本発明は、遊園地、テーマパーク、水族館等の施設において、訪問者を撮影した映像を提供する動画撮影システムに関する。
【背景技術】
【０００２】
従来、遊園地等の施設を訪れた訪問者を撮影し、その映像を訪問者に提供するサービスが提案されている。
【０００３】
このようなサービスを実行するシステムでは、来場する多数の訪問者の中から各訪問者のために作成した映像記録を提供することが求められる。このため、このようなシステムでは、たとえば、訪問者に無線発信器を貸与しておき、所定の撮影ポイントに設置した受信器によって前記無線発信器から発信されるＩＤ番号等に基づいて各訪問者の到来を検知することで、撮影ポイントに設置されたカメラを起動して動画の撮影等を行うとともに、撮影した動画データを各訪問者とひも付けながら記録するようになっている（下記特許文献１〜６参照）。
【特許文献１】特許第３４７６５５３号公報
【特許文献２】特開平１０−２１５４３４号公報
【特許文献３】特開２００３−３２６４７号公報
【特許文献４】特開２００３−１５３１５５号公報
【特許文献５】特開２００３−１９９０３２号公報
【特許文献６】特開２００３−１８９２９８号公報
【発明の開示】
【発明が解決しようとする課題】
【０００４】
しかしながら、上記従来のシステムでは、撮影時に各訪問者を個別に識別しなければならないため、システムが複雑になり、改良の余地があった。
【０００５】
本発明は上記課題に鑑みてなされたものであり、簡易な構成で各訪問者のための動画像を提供することができる動画撮影システムを提供することを目的とする。
【課題を解決するための手段】
【０００６】
本発明は、下記の手段を提供する。すなわち、
［１］施設内を撮影する複数の動画撮影カメラと、
前記複数の動画撮影カメラで撮影される動画データを撮影時刻とともに記録する動画データ記録手段と、
被写体となる訪問者とともに移動する記録媒体に対し、前記訪問者の位置とその時刻とを関連付けた移動履歴情報を記録する移動履歴記録手段と、
前記移動履歴情報に基づいて前記動画データを編集して編集動画データを作成する動画データ編集手段と、
を備えたことを特徴とする動画撮影システム。
【０００７】
［２］前記移動履歴記録手段は、施設内の各所に設置された複数の発信器と、前記訪問者とともに移動し、前記発信器が発信する信号を受信し、受信した信号に基づいて前記記録媒体に前記移動履歴情報を記録する受信記録装置と、を備える前項１に記載の動画撮影システム。
【０００８】
［３］前記受信記録装置は、訪問者が搭乗する移動体に取り付けられている前項２に記載の動画撮影システム。
【０００９】
［４］前記発信器は、各発信器の識別情報を含む信号を発信する前項２または３に記載の動画撮影システム。
【００１０】
［５］前記移動履歴記録手段は、施設内の各所に設置され、訪問者とともに移動する前記記録媒体に対して前記移動履歴情報を記録する書込装置を備える前項１に記載の動画撮影システム。
【００１１】
［６］前記動画データ記録手段と前記移動履歴記録手段とは、互いに同期した時計機能を備えた前項１〜５のいずれかに記載の動画撮影システム。
【００１２】
［７］前記記録媒体は、訪問者によって携行されるものである前項１〜６のいずれかに記載の動画撮影システム。
【００１３】
［８］前記動画データ編集手段は、訪問者からの指示を受けて編集動画データの作成を開始する前項１〜７のいずれかに記載の動画撮影システム。
【００１４】
［９］前記編集動画データを訪問者に提供するデータ提供手段を備えたことを特徴とする前項１〜８のいずれかに記載の動画撮影システム。
【００１５】
［１０］複数の動画撮影カメラで撮影される動画データを撮影時刻情報とともに記録するステップと、
被写体となる訪問者とともに移動する記録媒体に対し、前記訪問者の位置とその時刻とを関連付けた移動履歴情報を記録するステップと、
前記移動履歴情報に基づいて前記動画データを編集して編集動画データを作成するステップと、
を含むことを特徴とする動画撮影方法。
【発明の効果】
【００１６】
上記発明［１］によると、各訪問者毎の移動履歴情報を、各訪問者とともに移動する記録媒体に記録するため、撮影時には移動履歴情報の記録のために各訪問者を個別に識別する必要がなく、簡易な構成で各訪問者のために編集した動画像を作成することができる。
【００１７】
上記発明［２］によると、施設内に設置された発信器からの信号に基づいて、移動履歴情報を正確に記録することができる。
【００１８】
上記発明［３］によると、受信記録装置が移動体に取り付けられているため、訪問者に受信記録装置を携行する手間をかけることなく、移動体に搭乗して移動する訪問者の移動履歴情報を記録することができる。
【００１９】
上記発明［４］によると、各発信器が識別情報を含む信号を発信するため、受信記録装置はどの発信器からの信号を受信したのかを確実に判別することができる。
【００２０】
上記発明［５］によると、施設内に設置された書込装置によって移動履歴情報を記録するため、移動履歴情報の記録を極めて簡易な構成によって実現することができる。
【００２１】
上記発明［６］によると、動画データ記録手段と移動履歴記録手段とが互いに同期した時計機能を備えるため、記録された動画データと移動履歴情報とに含まれる時刻のずれをなくし、適切な編集動画データを作成することができる。
【００２２】
上記発明［７］によると、記録媒体が訪問者によって携行されるものであるため、移動履歴情報を各訪問者においてより適切に管理することができる。
【００２３】
上記発明［８］によると、動画データ編集手段は訪問者からの指示を受けて編集動画データの作成を開始するため、指示を行った訪問者についてのみ編集動画データの作成を行うことができ、システムの負荷を低減することができる。
【００２４】
上記発明［９］によると、編集動画データを訪問者に提供するデータ提供手段を備えたため、編集動画データを訪問者に提供することができる。
【００２５】
上記発明［１０］によると、各訪問者毎の移動履歴情報を、各訪問者とともに移動する記録媒体に記録するため、撮影時には移動履歴情報の記録のために各訪問者を個別に識別する必要がなく、簡易な構成で各訪問者のために編集した動画像を作成することができる。
【発明を実施するための最良の形態】
【００２６】
［第１実施形態］
第１実施形態について説明する。この第１実施形態にかかる動画撮影システムは、遊園地に設置されたゴーカートアトラクションを対象としている。このアトラクションでは、訪問者（客）がそれぞれ貸与されたカート（小型競争用自動車）に搭乗して、所定のレーシングコースを運転する。動画撮影システムでは、各訪問者が運転中のカートを撮影し、編集した映像を各訪問者の要求に応じて提供する。
【００２７】
図１は、第１実施形態にかかる動画撮影システムの概略構成を示す機能ブロック図である。
【００２８】
この図に示すように、第１実施形態にかかる動画撮影システムは、複数のカメラ１０…、キャプチャサーバ１２、複数のゲートアンテナ２０、受信記録装置２２、時刻コントローラ３０、ＩＤサーバ４０、エディットサーバ５０、ピクチャサーバ６０、メディア作成装置７０、ウェブサーバ８０等を備えている。
【００２９】
カメラ１０…は、動画を撮影可能な動画撮影カメラから構成されている。各カメラ１０…は、施設内に設置され、訪問者の映像を動画として撮影する。この実施形態では、ゴーカートアトラクションを対象としているため、各カメラ１０…は、レーシングコースの各所に設定され、訪問者の映像として、各訪問者が運転中のカートを撮影する。
【００３０】
図２は、カメラの設置位置の一例である。この図に示すように、この例では、カメラ番号ＣＡＭ−１からＣＡＭ−６の６台のカメラ１０…がレーシングコース１５の各所に設置され、コース上のほぼ全ての場所がいずれかのカメラ１０…の撮影エリア１１に含まれるようになっている。また、近接するカメラ１０…の撮影エリア１１は重複するように設定されている。
【００３１】
各カメラ１０…は、このアトラクションの使用中は、各撮影エリアに訪問者（カート１４）がいるかいないかにかかわらず、原則として連続して撮影を行うようになっている。
【００３２】
キャプチャサーバ１２は、各カメラ１０…で撮影される動画データを記録・蓄積するものである。キャプチャサーバ１２は、ＣＰＵ、ＲＡＭ、ＲＯＭ、ハードディスク装置等の記憶装置、入出力インタフェース等を備えたコンピュータから構成され、各カメラ１０…から動画データの送信を受けるため、信号ケーブル等で接続されている。
【００３３】
このキャプチャサーバ１２は、各カメラ１０…で撮影され、送信されてきた動画データを撮影時刻（タイムコード）と関連付けて記録する。すなわち、キャプチャサーバ１２は、動画データ記録手段として機能する。
【００３４】
キャプチャサーバ１２は、撮影時刻を記録するため、時計機能（計時手段）を有している。このキャプチャサーバ１２の時計機能は、後述する時刻コントローラ３０に制御され、受信記録装置２２の時計機能（計時手段）と同期するようになっている。
【００３５】
図３は、キャプチャサーバに記録される動画データの一例である。この例では、各カメラＣＡＭ−１〜ＣＡＭ−６による撮影および記録がアトラクションの始動時刻（開業時刻）であるたとえば１０時００分から始まり、各カメラ１０…からの動画データが撮影時刻（タイムコード）とともに記録されている。
【００３６】
キャプチャサーバ１２は、このアトラクションの使用中は、各カメラ１０…による動画データに訪問者（カート）が写っているかいないかにかかわらず、原則として連続して全ての動画データを記録するようになっている。
【００３７】
ゲートアンテナ２０…は、施設内の各所に複数設置され、その近傍において受信可能な信号を発信する発信器として機能するものである。
【００３８】
ゲートアンテナ２０…が発信する信号は、後述する受信記録装置２２によって受信される。受信記録装置２２は、訪問者が搭乗するカート（移動体）１４に搭載され、ゲートアンテナ２０…が発信する信号を受信することで、カート１４およびカート１４に搭乗している訪問者がゲートアンテナ２０の近傍を通過したことを判別できるようになっている。
【００３９】
このゲートアンテナ（発信器）２０…は、受信記録装置２２とともに、訪問者の移動履歴情報を記録する移動履歴記録手段として機能している。
【００４０】
各ゲートアンテナ２０…が発信する信号には、各ゲートアンテナ２０…を識別可能な識別情報が含まれている。これにより信号を受信した受信記録装置２２において、いずれのゲートアンテナ（発信器）２０…の近傍を通過したのかを、受信した信号から確実に判別できるようになっている。
【００４１】
この実施形態は、ゴーカートアトラクションを対象とするため、各ゲートアンテナ２０…は、レーシングコース１５の各所において、コース１５を横切る通過検知ライン（チェックポイント）２１…を形成するように、コース１５内の地中に埋設して設置されたループアンテナから構成されている。
【００４２】
上述した図２に示すように、この例では、ゲートアンテナ２０…は、ゲート番号ＡＮＴ−０からＡＮＴ−６の７台を備えている。そして、ＡＮＴ−１からＡＮＴ−６の６台は、上述したＣＡＭ−１からＣＡＭ−６の６台のカメラ１０…の各撮影エリア１１…の境界部分に通過検知ライン２１…を形成するように設置され、カート（移動体）１４が次のカメラ１０…の撮影エリア１１…に移動したタイミングを検出できるようになっている。また、ＡＮＴ−０の１台は、コース１５のスタート／ゴールライン１６上に通過検知ライン２１を形成するように設置され、カート１４がこのライン１６を通過したタイミングから、カート１４がコース１５を周回するラップタイム（周回所要時間）が検出できるようになっている。
【００４３】
各ゲートアンテナ２０…は、このアトラクションの使用中は、各通過検知ライン２１…の近傍に訪問者（カート１４）がいるかいないかにかかわらず、原則として連続して信号の発信を行うようになっている。
【００４４】
受信記録装置２２は、ゲートアンテナ（発信器）２０…が発信する信号を受信し、受信した信号に基づいて訪問者の移動履歴情報を記録するものである。この実施形態では、受信記録装置２２は、上述したように訪問者が搭乗するカート（移動体）２４に取り付けられ、これにより、訪問者とともに移動するようになっている。
【００４５】
移動履歴情報とは、訪問者の位置と、訪問者が各位置に存在した時刻とを関連付けたものである。この実施形態では、受信記録装置２２は、ゲートアンテナ（発信器）２０…が発信する信号を受信することで通過検知ライン２１…を通過したタイミングを検知するとともに、この信号に含まれる識別情報に基づいていずれのゲートアンテナ２０…の通過検知ライン２１を通過したのかを判別するようになっている。
【００４６】
また、受信記録装置２２は、時計機能（計時手段）を有しており、この時計機能から提供される時刻に基づいて、訪問者の位置を検知したタイミングの時刻を記録するようになっている。この受信記録装置２２の時計機能は、後述する時刻コントローラ３０に制御され、キャプチャサーバ１２の時計機能（計時手段）と同期するようになっている。
【００４７】
この受信記録装置２２は、訪問者が携行する記録カード２６に対して、前記移動履歴情報を記録するようになっている。この実施形態では、記録カードは、当アトラクションを利用する訪問者に対してシステム運営側から与えられる記録媒体からなる。この記録媒体としては、具体的には、ＩＣメモリカード、磁気記録カード、磁気記録ディスク、光磁気ディスク、光ディスクや、視認可能な文字を印刷等することで情報を記録する紙カード等を挙げることができる。
【００４８】
受信記録装置２２は、このような記録カード２６に対して移動履歴情報を記録するため、記録カード２６を受け入れるための装着手段や、記録カード２６への情報書込手段を備えている。
【００４９】
図４は、受信記録装置によって記録された移動履歴情報の一例である。この例では、移動履歴情報として、サーキットコース１５の各周回のスタート／ゴールライン１６を通過した時刻（ＳＴＡＲＴ，ＡＮＴ−０）から、各ゲートアンテナ２０…の通過検知ライン（チェックポイント）２１…を通過した時刻（ＡＮＴ−１〜ＡＮＴ−６）が順に記録されている。
【００５０】
時刻コントローラ３０は、上述したキャプチャサーバ（動画データ記録手段）１２と、受信記録装置（移動履歴記録手段）２２とが備える時計機能を同期させるものである。この時計コントローラ３０は、ＣＰＵ、ＲＡＭ、ＲＯＭ、ハードディスク装置等の記憶装置、入出力インタフェース等を備えたコンピュータから構成され、適時、キャプチャサーバ１２と受信記録装置２２とに対して現在時刻情報を送信し、両者の時計機能の内部時刻を補正させるようになっている。
【００５１】
ＩＤサーバ４０は、訪問者に発行する記録カード２６を管理するものである。具体的には、訪問者に発光する記録カード２６を区別するため、各記録カード２６に付与されたＩＤを記録する。また、アトラクションの利用を終えた訪問者が提示する記録カード２６から移動履歴情報の読み取り処理を行う。
【００５２】
このＩＤサーバ４０は、ＩＤサーバ４０は、ＣＰＵ、ＲＡＭ、ＲＯＭ、ハードディスク装置等の記憶装置、入出力インタフェース等を備えたコンピュータから構成されている。またＩＤサーバ４０は、記録カード２６から記録された移動履歴情報を読み取る読取機能を備えている。
【００５３】
この実施形態では、アトラクションの利用を終えた訪問者が記録カード２６を提示することをもって、後述する編集動画データの作成指示として扱うようになっている。記録カード２６の提示を受けたＩＤサーバ４０は、読み取った移動履歴情報をＩＤとともに、エディットサーバ５０に送信する。
【００５４】
なお、このＩＤサーバ４０によって管理され、記録カード２６に付与されているＩＤは、後述する編集動画データの蓄積管理や提供の際の便宜のために用いられるものであって、カメラ１０やキャプチャサーバ（動画データ記録手段）１２による動画データの記録や、ゲートアンテナ２０や受信記録装置２２からなる移動履歴記録手段による移動履歴情報の記録作成のためには必要とされないものである。
【００５５】
エディットサーバ５０は、移動履歴情報に基づいて動画データを編集して編集動画データを作成する動画データ編集手段として機能するものである。このエディットサーバ５０は、ＣＰＵ、ＲＡＭ、ＲＯＭ、ハードディスク装置等の記憶装置、入出力インタフェース等を備えたコンピュータから構成され、キャプチャサーバ１２からタイムコード付き動画データの送信を受け、ＩＤサーバ４０から移動履歴情報の送信を受けるため、これら各サーバ１２，４０等と信号ケーブル等で接続されている。
【００５６】
この実施形態では、上述したように、ＩＤサーバ４０に記録カード２６を提示することが、訪問者による編集動画データ作成依頼となる。したがって、編集動画データを欲しない訪問者は記録カード２６を提示しなければよい。編集動画データの作成指示により、このサービスの料金を発生させることとすれば、編集動画データを欲しない訪問者にとっては無駄な出費を抑えられるメリットがある。また、必要とされない編集動画データの作成を避けられることから、システム側の作業負荷を低減することができる。
【００５７】
ＩＤサーバ４０に記録カード２６が提示されれば、エディットサーバ５０にＩＤサーバ４０から移動履歴情報が送信され、エディットサーバ５０において編集動画データの作成が開示される。
【００５８】
図５は、エディットサーバにおける編集動画データ作成の一例の説明図である。この図では、移動履歴情報は、横軸を時間経過として各ゲートアンテナを通過した時刻をゲート番号で表現している。
【００５９】
この例では、図２に示すように、たとえばゲート番号ＡＮＴ−０の通過時点からＡＮＴ−１の通過時点までの時間帯は、訪問者（カート２４）はカメラ番号ＣＡＭ−１のカメラ１０の撮影エリア１１に存在する。またゲート番号ＡＮＴ−１の通過時点からＡＮＴ−２の通過時点までの時間帯は、訪問者はカメラ番号ＣＡＭ−２のカメラ１０の撮影エリア１１に存在する。そこで、この例では、移動履歴情報として記録された訪問者（カート２４）が各ゲートアンテナを通過した時刻、すなわち、訪問者が次のカメラ１０…の撮影エリア１１…に移動した時刻で、６台のカメラＣＡＭ−１〜ＣＡＭ−６で撮影された各動画データを順次切り取って繋いでいくことで、時系列の連続する一連の編集動画データを作成するようになっている。
【００６０】
また、エディットサーバにおける編集動画の作成では、予め準備された事前準備映像を編集動画データのオープニングとエンディング等に挿入するようになっている。また、この実施形態では、撮影に付随する情報として、移動履歴情報に現れる、カート１４がコース１５を周回するラップタイム（周回所要時間）や、各ゲートアンテナ２０…で区切られたコース１５の各ゾーン毎の走行タイム等の各種データを映像化した画像も編集動画データに挿入するようになっている。
【００６１】
なお、エディットサーバ５０における編集動画データの作成は、上記方法に限定されるものではなく、編集の度に動画データの並べ順を変更してもよい。また、異なるカメラによって同じ時刻に撮影されたカメラアングルの異なる動画データを編集動画データにおける時系列に並べたり、編集動画データの画面を複数に分割して各分割画面に並行して表したり（マルチアングル編集）してもよい。また、特定の時間（決定的瞬間等）について、同じ動画データを繰り返したり、スローモーションにしてもよい。
【００６２】
エディットサーバ５０は、作成された編集動画データを蓄積記憶するピクチャサーバ６０に、各編集動画データのＩＤとともに送信する。
【００６３】
ピクチャサーバ６０は、前記エディットサーバ（動画データ編集手段）５０によって作成された編集動画データを保存し、管理するものである。ピクチャサーバ６０は、ＣＰＵ、ＲＡＭ、ＲＯＭ、ハードディスク装置等の記憶装置、入出力インタフェース等を備えたコンピュータから構成され、エディットサーバ５０から編集動画データの送信を受けるため、信号ケーブル等で接続されている。
【００６４】
図６は、ピクチャサーバに保存された編集動画データの説明図である。各編集動画データはそのＩＤとともに記憶されており、メディア作成装置７０等の要求に基づき、保存した編集動画データを出力する。また、ピクチャサーバ６０は、一定の保存期間が経過した時点で編集動画データを消去する。
【００６５】
メディア作成装置７０は、編集動画データを可搬性を有する動画記録媒体（メディア）に記録して訪問者に提供するものである。このメディア作成装置７０は、データ提供手段として機能する。
【００６６】
メディア作成装置７０は、訪問者から編集動画データを特定するＩＤとともにメディアの作成要求を受けることにより、ピクチャサーバ６０に保存された編集動画データを読み出して、各種の動画記録媒体（メディア）への出力（書込）を行う。
【００６７】
動画記録媒体（メディア）としては、システム運営側が予め準備した、たとえばビデオテープ、ＤＶＤ＋Ｒ等の書込型ディスク、メモリカード等を挙げることができる。また、動画記録媒体は、訪問者が持参したものであってもよい。また、訪問者が所有する携帯電話やモバイルコンピュータ等に編集動画データをデータ転送することにより、これらが備えるＲＡＭやハードディスク等の内部記憶手段等を動画記録媒体として編集動画データを書き込むようにしてもよい。
【００６８】
ウェブサーバ８０は、インターネットを介して、訪問者に編集動画データを提供するものである。このウェブサーバ８０は、データ提供手段として機能する。
【００６９】
ウェブサーバ８０は、ＣＰＵ、ＲＡＭ、ＲＯＭ、ハードディスク装置等の記憶装置、入出力インタフェース等を備えたコンピュータから構成され、ピクチャサーバ６０から編集動画データを受け取って保存している。そして、前もって編集動画データの作成を指示していた訪問者から、パーソナルコンピュータや携帯電話等によりインターネットを介してＩＤとともに配信要求を受けると、保存している編集動画データをインターネットを介して配信するようになっている。
【００７０】
次に、以上の構成の動画撮影システムの各種動作について説明する。
【００７１】
図７は、移動履歴情報を記録する手順を示すフローチャートである。
【００７２】
移動履歴情報の記録は、上述したように、各訪問者がこのシステムが対象とするゴーカートアトラクションを利用する際に行われる。
【００７３】
このアトラクションを利用する訪問者は、まず、システム側から移動履歴情報を記録するための記録カード（記録媒体）２６の発行を受け（ステップＳ１０）、訪問者（ドライバー）がカート（移動体）２４に搭乗すると（ステップＳ１２）、この記録カード２６は訪問者によってカート２４の受信記録装置２２に装着される（ステップＳ１４）。
【００７４】
訪問者がカート２４の運転を開始すると（ステップＳ１６）、カート２４の受信記録装置２２がゲートアンテナ２０…からの信号を受信したか否かによってゲートを通過したか否かが繰り返し判断され（ステップＳ１８でＮＯ）、信号を受信すればゲート通過が認識される（ステップＳ１８でＹＥＳ）。
【００７５】
そして、受信記録装置２２は、受信した信号に含まれる識別番号と、自身が有する時計機能から得られる時刻とから、通過したゲート番号と通過時刻を移動履歴情報として記録カード２６に記録する（ステップＳ２０）。
【００７６】
通過したゲート番号が、スタート／ゴールラインを示すものであり、所定の周回数を完了した場合には、ゴール通過と判断され（ステップＳ２２でＹＥＳ）、未だゴール通過出なければ（ステップＳ２２でＮＯ）、以上のゲート通過に関する判断（ステップＳ１８，Ｓ２０）が繰り返し行われる。
【００７７】
ゴール通過すれば（ステップＳ２２でＹＥＳ）、訪問者は所定の降車位置までカート２６を運転して運転を終了するとともに（ステップＳ２４）、受信記録装置２２から記録カード２６を取り出して降車し（ステップＳ２６）、一連のアトラクションの利用を終了する。
【００７８】
図８は、編集動画データの作成の手順を示すフローチャートである。
【００７９】
編集動画データの作成は、上述したように、アトラクションの利用を終えた訪問者が編集動画データの作成を指示することによって行われる。
【００８０】
アトラクションの利用を終え、編集動画データの作成を希望する訪問者は、記録カード２６をＩＤサーバ４０に提示して、編集動画データの作成開始を指示する（ステップＳ３０）。
【００８１】
記録カード２６の提示を受けたＩＤサーバ４０は、提示された記録カード２６に記録された移動履歴情報およびＩＤを読み取り（ステップＳ３２）、これらをエディットサーバ５０に送信する（ステップＳ３４）。
【００８２】
移動履歴情報およびＩＤを受信したエディットサーバ５０は、事前準備映像のうちオープニング画像を取り込んだ後（ステップＳ３６）、この移動履歴情報に含まれる訪問者の位置およびその時刻に基づいて、キャプチャサーバ１２に記録されている動画データのうち、対応するカメラ１０によって撮影された動画データの取り込みを開始する（ステップＳ３８）。
【００８３】
エディットサーバ５０は、取り込み中の動画データの撮影時刻が、移動履歴情報の次の時刻になれば（ステップＳ４０でＹＥＳ）、移動履歴情報が終了したか否かを判断し（ステップＳ４２）、終了していなければ（ステップＳ４２でＮＯ）、取り込む動画データを移動履歴情報が示す次のカメラの動画データに切り替えて（ステップＳ４４）、動画データの取り込みを続ける。
【００８４】
移動履歴情報が終了していれば（ステップＳ４２でＹＥＳ）、移動履歴情報に基づいてラップタイムデータ等の各種データ映像を作成して取り込み（ステップＳ４６）、事前準備映像のうちエンディング画像を取り込む（ステップＳ４８）。
【００８５】
そして、エディットサーバ５０は、こうして作成した一連の画像データをＩＤサーバ４０から指示されたＩＤに対応する編集画像データとして、ピクチャサーバ６０に送信し（ステップＳ５０）、ピクチャサーバ６０がこの編集画像データを記憶格納することにより（ステップＳ５２）、一連の編集動画データの作成を終了する。
【００８６】
図９は、編集動画データの配信の手順を示すフローチャートである。
【００８７】
編集動画データの配信は、上述したように、編集動画データの作成を指示した訪問者が、パーソナルコンピュータや携帯電話からインターネットを介して編集動画データの配信を要求することによって行われる。
【００８８】
この編集動画データの配信では、訪問者への配信に先立って、ピクチャサーバ６０に保存された編集動画データがウェブサーバ８０に転送され、ウェブサーバ８０上に保存される（ステップＳ６０）。
【００８９】
ウェブサーバ８０は、訪問者からの配信要求を待ち（ステップＳ６２でＮＯ）、配信要求があると（ステップＳ６２でＹＥＳ）、この配信要求に含まれる編集動画データを特定するＩＤの照合が行われる（ステップＳ６４）。ＩＤが適切でなければ（ステップＳ６４でＮＯ）、再び配信要求待ちに戻る。
【００９０】
ＩＤが適切であれば（ステップＳ６４でＹＥＳ）、このＩＤに対応する編集動画データの配信が行われる（ステップＳ６６）。
【００９１】
また、ウェブサーバ８０では、所定の保存期間が経過したか否かが判断され（ステップＳ６８）、保存期間内であれば（ステップＳ６８でＮＯ）、編集動画データを保存を継続して再び配信要求待ちに戻る。所定の保存期間が経過していれば（ステップＳ６８でＹＥＳ）、編集動画データを破棄して（ステップＳ７０）、この編集動画データの配信処理を終了する。
【００９２】
以上の第１実施形態にかかる動画撮影システムによると、各訪問者毎の移動履歴情報を、各訪問者とともに移動する記録カード（記録媒体）２６に記録するため、撮影時には移動履歴情報の記録のために各訪問者を個別に識別する必要がなく、簡易な構成で各訪問者のために編集した動画像を作成することができる。
【００９３】
また、各訪問者ごとの記録カード（記録媒体）２６に移動履歴情報が記録されるため、同時に複数の訪問者の移動履歴情報を記録する場合であってもシステム側の負荷を低減することができる。たとえば、たとえば移動体（カート）が２台併走している場合など、複数の訪問者が近接したタイミングで同じ位置を通過した場合であっても、各訪問者（移動体）の移動履歴は、各移動体の受信記録装置によって記録されるため、各受信記録装置の負荷が大きくなることがなく、確実に移動履歴を記録することができる。
【００９４】
また、施設内に設置された発信器からの信号に基づいて、移動履歴情報を正確に記録することができる。
【００９５】
また、受信記録装置２２がカート（移動体）２４に取り付けられているため、訪問者に受信記録装置２２を携行する手間をかけることなく、カート２４に搭乗して移動する訪問者の移動履歴情報を記録することができる。
【００９６】
また、各ゲートアンテナ（発信器）２０…が識別情報を含む信号を発信するため、受信記録装置２２はどのゲートアンテナ２０…からの信号を受信したのかを確実に判別することができる。
【００９７】
また、キャプチャサーバ（動画データ記録手段）１２と移動履歴記録手段の受信記録装置２２の時計機能が、時刻コントローラ３０によって互いに同期するため、
キャプチャサーバ１２によって記録される動画データと受信記録装置２２によって記録される移動履歴情報とに含まれる時刻のずれをなくし、適切な編集動画データを作成することができる。
【００９８】
また、移動履歴情報は記録カード（記録媒体）２６のみに記録され、この記録カード２６は訪問者によって携行されるものであるため、移動履歴情報を各訪問者においてより適切に管理することができる。たとえば、各訪問者が移動履歴情報を他者に見られたくない場合には、携行する記録カード２６を訪問者自身がシステム側に提示しない限り、施設の運営者側にも知られることはない。
【００９９】
また、エディットサーバ（動画データ編集手段）５０は訪問者からの指示を受けて編集動画データの作成を開始するため、指示を行った訪問者についてのみ編集動画データの作成を行うことができ、システムの負荷を低減することができる。
【０１００】
また、編集動画データを訪問者に提供するメディア作成装置６０およびウェブサーバ８０というデータ提供手段を備えたため、訪問者に対し、多様な手段で編集動画データを提供することができる。
【０１０１】
また、施設の各所に設置されるゲートアンテナ（発信器）２０…は、各ゲートアンテナ２０を識別できる識別情報を含む一定の変化のない信号を送信すればよく、外部と情報通信する必要がほとんどないため、極めて簡素なシステムを構築できる。さらに発信器が太陽電池を備えるようにすれば、発信器への配電も不要とできる。
【０１０２】
［第２実施形態］
次に、本発明の第２実施形態にかかる動画撮影システムついて説明する。
この第２実施形態は、第１実施形態ではゲートアンテナ２０…および受信記録装置２２によって構成されていた移動履歴記録手段を、施設の各所に設置された書込装置によって実現したものである。
【０１０３】
以下、第１実施形態との共通の構成要素については同一符号を付して重複説明を省略し、主に相違点について説明する。
【０１０４】
図１０は、本発明の第２実施形態にかかる動画撮影システムの概略構成を示す機能ブロック図である。この図に示すように第２実施形態では、移動履歴記録手段が複数の書込装置９０…によって構成され、訪問者が携行する記録カード（記録媒体）９１を書込装置９０…に提示することによって、各書込装置９０の設置位置と記録カード９１を提示した時刻が、訪問者の移動履歴情報として記録カード９１に記録されるようになっている。
【０１０５】
図１１は、カメラおよび書込装置の設置位置の一例である。この図に示すように、この例では、カメラ番号ＣＡＭ−１からＣＡＭ−６の６台のカメラ１０…が施設内の各所に設置されるとともに、各カメラ１０…の撮影エリア１１…内にそれぞれ書込装置９０…が設置されている。これにより、訪問者が書込装置９０…に記録カード９１を提示すれば、その提示時点の前後の時間帯に訪問者が当該書込装置９０…の設置位置が含まれる各カメラ１０…の撮像エリア１１…内に存在したことが把握できるようになっている。
【０１０６】
図１２は、書込装置の正面図である。この図に示すように、書込装置９０には、その設置場所を示すポイント記号９２が掲示されている。このため、訪問者に事前に配布する施設内マップ等に、各書込装置９０の設置位置をポイント記号とともに記載しておくことにより、訪問者は容易に動画の撮影サービスを受けられるエリアを把握し、確認することができる。
【０１０７】
また、書込装置９０には時計が設けられ、訪問者に現在時刻を知らせるようになっている。この時計は、図１０に示したように、時刻コントローラ３０によってキャプチャサーバ１２の時計機能と同期するようになっている。
【０１０８】
また、書込装置９０には、記録カード書込部９３が設けられ、訪問者が携行する記録カード９１を挿入し、確認ボタン９５を押すことによって、記録カード９１にこの書込装置９０の設置位置を示すポイント記号等とともに、書込装置９０が備える時計機能から把握される現在時刻が、挿入された記録カード９１に記録されるようになっている。この記録の形態は、記録カードの種類に応じて、電子的または磁気的に記録するものであっても、印刷等によって視覚的に記録するものであってもよい。
【０１０９】
図１３は、エディットサーバにおける編集動画データ作成の別の例の説明図である。この第２実施形態では、上述したように、訪問者が記録カード２６を書込装置９０に挿入することによって、移動履歴情報が記録されるため、各カメラ１０…の撮影エリア１１…を移動する訪問者の移動順序は、訪問者によって異なり、行かなかった撮影エリア１１も存在しうる。
【０１１０】
また、この第２実施形態では、各カメラ１０…の撮影エリア１１…は、図１１に示すように訪問者の移動可能領域の全域をカバーしておらず、訪問者がいずれのカメラ１０…にも写っていない時間帯が存在する。
【０１１１】
また、この第２実施形態では、訪問者は、各カメラ１０の撮影エリア１１…に入った後に、書込装置９０に記録カード９１を提示することになるため、移動履歴情報に記録される時刻より前に、各カメラ１０…による動画データに写っていることになる。
【０１１２】
このため、この第２実施形態では、エディットサーバ５０は、移動履歴情報に記録されている順序で各カメラ１０…の動画データを取り込むとともに、移動履歴情報に記録されている時刻より遡った時点から、この時刻を含む所定時間の動画データを取り込むようになっている。
【０１１３】
このような第２実施形態にかかる動画撮影システムによると、施設内に設置された書込装置９０…によって訪問者の移動履歴情報を記録するため、移動履歴情報の記録を極めて簡易な構成によって実現することができる。
【０１１４】
また、訪問者は、動画データの記録を希望する位置を選択することができるため、作成される編集動画データに希望する映像のみを取り込ませることができる。
【０１１５】
［その他の実施形態］
以上、本発明の実施形態を説明したが、本発明は以下のように構成してもよい。
【０１１６】
（１）上記第１実施形態では、受信記録装置を訪問者が搭乗する移動体（ゴーカート）に取り付けたが、訪問者自身が、記録媒体（記録カード）とともに携行するようにしてもよい。このようにすると、受信記録装置が訪問者に携行されるため、訪問者が移動する広い領域を対象として移動履歴情報を記録することが可能となる。
【０１１７】
（２）上記各実施形態では、カメラは施設内の各所に固定的に設置したが、施設内を移動するカメラを含んでいてもよい。特に、訪問者が搭乗する移動体にカメラ（オンボードカメラ）を設置してもよい。このようなカメラを備えれば、興趣性に富んだ映像を得ることができる。
【０１１８】
（３）上記各実施形態では、カメラはそれぞれ施設内の一部のみを撮影するように設置したが、施設の全体を撮影するカメラを含むようにしてもよい。このようにすると、たとえば一部のカメラが使用不要になった場合であっても、全体を撮像するカメラの映像（動画データ）を利用することにより、時系列的に連続した編集動画データを確実に作成することができる。
【０１１９】
（４）上記実施形態では、複数のカメラによって撮影された動画データを１台のキャプチャサーバ（動画データ記録手段）に送信して記録するようにしたが、各カメラごとに動画データ記録手段を備えるようにしてもよい。また、各カメラごとに備える一時記憶装置に動画データをバッファしておき、適時、中央のサーバ等に転送するようにしてもよい。
【０１２０】
（５）上記実施形態では、キャプチャサーバが有する計時手段（時計機能）の時刻に基づいて動画データの撮影時刻を記録したが、各カメラに計時手段（時計機能）を持たせ、各カメラにおいて動画データと撮影時刻とを関連付けるようにしてもよい。
【０１２１】
（６）上記第１実施形態では、受信記録装置の計時手段の時刻を用いて移動履歴情報を記録したが、各発信器（ゲートアンテナ）が発信する信号に現在時刻情報を含ませておき、受信記録装置２２では、受信した信号に含まれる現在時刻情報に基づいて移動履歴情報を記録するようにしてもよい。
【０１２２】
（７）上記第１実施形態では、各発信器（ゲートアンテナ）が発信する信号に各発信器（ゲートアンテナ）を識別可能な識別情報を含むようにしたが、このような識別情報を含まない信号としてもよい。特に、ゴーカートアトラクションのように訪問者の移動経路が特定できる場合には、発信器（ゲートアンテナ２０…）からの信号を受信した回数により何番目の発信器の位置に訪問者が到達したかを判断できる。このため、各発信器（ゲートアンテナ２０…）が発信する信号には、通過検知位置であることを示すものであればよい。
【０１２３】
（８）上記第１実施形態では、発信器（ゲートアンテナ）がそれぞれを識別できる識別情報を発信するようにしたが、発信器（ゲートアンテナ）が識別情報を発信する場合であっても、各発信器が発信する識別情報は、全て異なるものでなくても、同一の識別信号を発しても混同されるおそれのない互いに離れた位置に設置される発信器では、同一の識別信号を利用してもよい。
【０１２４】
（９）上記第１実施形態では、移動履歴情報が記録される記録媒体を、訪問者が携行し、受信記録装置にセットする記録カードによって構成したが、訪問者とともに移動する移動体（カート）に受信記録装置が取り付けられている場合には、この受信記録装置が備える記憶手段を記録媒体としてもよい。
【０１２５】
（１０）上記第１実施形態では、訪問者が搭乗する移動体としてカートを挙げたが、移動体はカートに限定されず、ジェットコースター車両、観覧車のゴンドラ、園内周回列車の座席、メリーゴーランド等の搭乗座部分等を挙げることができる。
【０１２６】
（１１）上記各実施形態では、訪問者が各位置に存在する際の時刻をそのまま移動履歴情報として記録したが、たとえばスタート時刻を記録した後、各所を通過した時刻については、スタート時刻からの経過時間等で表現してもよい。
【０１２７】
（１２）上記各実施形態では、時刻コントローラによって、動画データ記録手段（キャプチャサーバ）と移動履歴記録手段（受信記録装置、書込装置）の時計機能を同期させたが、キャプチャサーバの時計機能の時刻を適宜、移動履歴記録手段に送信することによって、両者を同期させるようにしてもよい。
【０１２８】
（１３）上記第１実施形態では、受信記録装置が各タイミングにおいて１台の発信器（ゲートアンテナ）からの信号を受信することによって、訪問者の位置を特定するようにしたが、受信記録装置が同時に複数の発信器からの信号を受信し、受信した複数の発信器との位置関係に基づいて訪問者の現在位置（受信記録装置の現在位置）を特定し、移動履歴として記録するようにしてもよい。
【０１２９】
（１４）上記各実施形態では、移動履歴情報を訪問者が所定の位置を通過した時刻を直接的に表現する形態としたが、たとえば観覧車等に搭乗した場合の移動履歴情報であれば、その日の何番目のゴンドラに搭乗したかを特定できる情報によって、時刻を間接的に特定する形態としてもよい。
【図面の簡単な説明】
【０１３０】
【図１】本発明の第１実施形態にかかる動画撮影システムの概略構成を示す機能ブロック図である。
【図２】カメラの設置位置の一例である。
【図３】キャプチャサーバに記録される動画データの一例である。
【図４】受信記録装置によって記録された移動履歴情報の一例である。
【図５】エディットサーバにおける編集動画データ作成の一例の説明図である。
【図６】ピクチャサーバに保存された編集動画データの説明図である。
【図７】移動履歴情報を記録する手順を示すフローチャートである。
【図８】編集動画データの作成の手順を示すフローチャートである。
【図９】編集動画データの配信の手順を示すフローチャートである。
【図１０】本発明の第２実施形態にかかる動画撮影システムの概略構成を示す機能ブロック図である。
【図１１】カメラおよび書込装置の設置位置の一例である。
【図１２】書込装置の正面図である。
【図１３】エディットサーバにおける編集動画データ作成の別の例の説明図である。
【符号の説明】
【０１３１】
１０  カメラ（動画撮影カメラ）
１２  キャプチャサーバ（動画データ記録手段）
２０  ゲートアンテナ（発信器、移動履歴記録手段）
２２  受信記録装置（移動履歴記録手段）
２４  カート（移動体）
２６  記録カード（記録媒体）
３０  時刻コントローラ
４０  ＩＤサーバ
５０  エディットサーバ（動画データ編集手段）
６０  ピクチャサーバ
７０  メディア作成装置（データ提供手段）
８０  ウェブサーバ（データ提供手段）
９０  書込装置（移動履歴記録手段）
９１  記録カード（記録媒体）
【図１】
2006303766.tif 000003
【図２】
2006303766.tif 000004
【図３】
2006303766.tif 000005
【図４】
2006303766.tif 000006
【図５】
2006303766.tif 000007
【図６】
2006303766.tif 000008
【図７】
2006303766.tif 000009
【図８】
2006303766.tif 000010
【図９】
2006303766.tif 000011
【図１０】
2006303766.tif 000012
【図１１】
2006303766.tif 000013
【図１２】
2006303766.tif 000014
【図１３】
2006303766.tif 000015